【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
クライアント端末装置からの接続要求に含まれるサーバー装置の識別情報に基づき、前記サーバー装置へ接続する接続手段と、
前記接続要求に含まれる前記クライアント端末装置と前記サーバー装置との接続に関するセッション情報と、自画像処理装置のデバイスで処理可能な出力形態と、に基づいて、前記サーバー装置が提供するサービスのうち、前記クライアント端末装置のユーザが利用可能なサービスで、かつ、サービスの出力形態が自画像処理装置のデバイスで処理可能な出力形態であるサービスに関するＵＩ部品を前記サーバー装置から取得する取得手段と、
前記取得手段で取得された前記ＵＩ部品の出力設定と、利用可能な自画像処理装置のデバイスのＵＩ部品の出力設定と、に基づいて、出力物に関するプレビュー部品を生成する生成手段と、
前記取得手段で取得された前記ＵＩ部品と、利用可能な自画像処理装置のデバイスのＵＩ部品と、前記生成手段で生成された前記プレビュー部品と、を一つのＵＩ画面に結合する結合手段と、
前記結合手段で結合された前記ＵＩ画面を前記クライアント端末装置に送信する送信手段と、
を有することを特徴とする画像処理装置。
【請求項２】
前記取得手段は、前記接続要求に含まれる前記クライアント端末装置と前記サーバー装置との接続に関するセッション情報に基づき、前記サーバー装置から前記クライアント端末装置のユーザが利用可能なサービスに関するサービス情報を取得し、前記サービス情報と、自画像処理装置のデバイスに関する能力情報と、に基づき、前記サービス情報で示されるサービスに関する出力形態が、自画像処理装置のデバイスで処理可能な出力形態であるか否かを判定し、自画像処理装置のデバイスで処理可能な出力形態であると判定した前記サービスに関するＵＩ部品を前記サーバー装置よりダウンロードすることを特徴とする請求項１に記載の画像処理装置。
【請求項３】
前記取得手段は、前記接続要求に含まれる前記クライアント端末装置と前記サーバー装置との接続に関するセッション情報と、自画像処理装置のデバイスに関する能力情報に基づき特定した自画像処理装置のデバイスで処理可能な出力形態と、を含む、前記サーバー装置が提供するサービスのうち、前記クライアント端末装置のユーザが利用可能なサービスで、かつ、サービスの出力形態が自画像処理装置のデバイスで処理可能な出力形態であるサービスに関するＵＩ部品の取得要求を前記サーバー装置に送信し、前記取得要求に応じた前記ＵＩ部品を前記サーバー装置より受信することを特徴とする請求項１に記載の画像処理装置。
【請求項４】
クライアント端末装置と自サーバー装置とのセッションに関するセッション情報と、画像処理装置のデバイスの能力情報と、を含む、自サーバー装置が提供するサービスのうち、前記クライアント端末装置のユーザが利用可能なサービスで、かつ、サービスの出力形態が前記画像処理装置のデバイスで処理可能な出力形態であるサービスに関するＵＩ部品の取得要求を前記画像処理装置より受信する受信手段と、
前記受信手段で受信された前記取得要求に含まれる前記セッション情報に基づき、前記クライアント端末装置のユーザが利用可能なサービスに関するサービス情報を取得するサービス情報取得手段と、
前記サービス情報取得手段で取得されたサービス情報と、前記受信手段で受信された前記取得要求に含まれる前記画像処理装置のデバイスの能力情報と、に基づき、前記サービス情報で示されるサービスに関する出力形態が、前記画像処理装置のデバイスで処理可能な出力形態であるか否かを判定する判定手段と、
前記判定手段で前記画像処理装置のデバイスで処理可能な出力形態であると判定された前記サービスに関するＵＩ部品を前記画像処理装置に返信する返信手段と、
を有することを特徴とするサーバー装置。
【請求項５】
画像処理装置における制御方法であって、
クライアント端末装置からの接続要求に含まれるサーバー装置の識別情報に基づき、前記サーバー装置へ接続する接続ステップと、
前記接続要求に含まれる前記クライアント端末装置と前記サーバー装置との接続に関するセッション情報と、前記画像処理装置のデバイスで処理可能な出力形態と、に基づいて、前記サーバー装置が提供するサービスのうち、前記クライアント端末装置のユーザが利用可能なサービスで、かつ、サービスの出力形態が前記画像処理装置のデバイスで処理可能な出力形態であるサービスに関するＵＩ部品を前記サーバー装置から取得する取得ステップと、
前記取得ステップで取得された前記ＵＩ部品の出力設定と、利用可能な前記画像処理装置のデバイスのＵＩ部品の出力設定と、に基づいて、出力物に関するプレビュー部品を生成する生成ステップと、
前記取得ステップで取得された前記ＵＩ部品と、利用可能な前記画像処理装置のデバイスのＵＩ部品と、前記生成ステップで生成された前記プレビュー部品と、を一つのＵＩ画面に結合する結合ステップと、
前記結合ステップで結合された前記ＵＩ画面を前記クライアント端末装置に送信する送信ステップと、
を含むことを特徴とする制御方法。
【請求項６】
前記取得ステップでは、前記接続要求に含まれる前記クライアント端末装置と前記サーバー装置との接続に関するセッション情報に基づき、前記サーバー装置から前記クライアント端末装置のユーザが利用可能なサービスに関するサービス情報を取得し、前記サービス情報と、前記画像処理装置のデバイスに関する能力情報と、に基づき、前記サービス情報で示されるサービスに関する出力形態が、前記画像処理装置のデバイスで処理可能な出力形態であるか否かを判定し、前記画像処理装置のデバイスで処理可能な出力形態であると判定した前記サービスに関するＵＩ部品を前記サーバー装置よりダウンロードすることを特徴とする請求項５に記載の制御方法。
【請求項７】
前記取得ステップでは、前記接続要求に含まれる前記クライアント端末装置と前記サーバー装置との接続に関するセッション情報と、前記画像処理装置のデバイスに関する能力情報に基づき特定した前記画像処理装置のデバイスで処理可能な出力形態と、を含む、前記サーバー装置が提供するサービスのうち、前記クライアント端末装置のユーザが利用可能なサービスで、かつ、サービスの出力形態が前記画像処理装置のデバイスで処理可能な出力形態であるサービスに関するＵＩ部品の取得要求を前記サーバー装置に送信し、前記取得要求に応じた前記ＵＩ部品を前記サーバー装置より受信することを特徴とする請求項５に記載の制御方法。
【請求項８】
サーバー装置における制御方法であって、
クライアント端末装置と前記サーバー装置とのセッションに関するセッション情報と、画像処理装置のデバイスの能力情報と、を含む、前記サーバー装置が提供するサービスのうち、前記クライアント端末装置のユーザが利用可能なサービスで、かつ、サービスの出力形態が前記画像処理装置のデバイスで処理可能な出力形態であるサービスに関するＵＩ部品の取得要求を前記画像処理装置より受信する受信ステップと、
前記受信ステップで受信された前記取得要求に含まれる前記セッション情報に基づき、前記クライアント端末装置のユーザが利用可能なサービスに関するサービス情報を取得するサービス情報取得ステップと、
前記サービス情報取得ステップで取得されたサービス情報と、前記受信ステップで受信された前記取得要求に含まれる前記画像処理装置のデバイスの能力情報と、に基づき、前記サービス情報で示されるサービスに関する出力形態が、前記画像処理装置のデバイスで処理可能な出力形態であるか否かを判定する判定ステップと、
前記判定ステップで前記画像処理装置のデバイスで処理可能な出力形態であると判定された前記サービスに関するＵＩ部品を前記画像処理装置に返信する返信ステップと、
を含むことを特徴とする制御方法。
【請求項９】
画像処理装置に係るコンピュータを、
クライアント端末装置からの接続要求に含まれるサーバー装置の識別情報に基づき、前記サーバー装置へ接続する接続手段と、
前記接続要求に含まれる前記クライアント端末装置と前記サーバー装置との接続に関するセッション情報と、自画像処理装置のデバイスで処理可能な出力形態と、に基づいて、前記サーバー装置が提供するサービスのうち、前記クライアント端末装置のユーザが利用可能なサービスで、かつ、サービスの出力形態が自画像処理装置のデバイスで処理可能な出力形態であるサービスに関するＵＩ部品を前記サーバー装置から取得する取得手段と、
前記取得手段で取得された前記ＵＩ部品の出力設定と、利用可能な自画像処理装置のデバイスのＵＩ部品の出力設定と、に基づいて、出力物に関するプレビュー部品を生成する生成手段と、
前記取得手段で取得された前記ＵＩ部品と、利用可能な自画像処理装置のデバイスのＵＩ部品と、前記生成手段で生成された前記プレビュー部品と、を一つのＵＩ画面に結合する結合手段と、
前記結合手段で結合された前記ＵＩ画面を前記クライアント端末装置に送信する送信手段と、
して機能させることを特徴とするプログラム。
【請求項１０】
サーバー装置に係るコンピュータを、
クライアント端末装置と自サーバー装置とのセッションに関するセッション情報と、画像処理装置のデバイスの能力情報と、を含む、自サーバー装置が提供するサービスのうち、前記クライアント端末装置のユーザが利用可能なサービスで、かつ、サービスの出力形態が前記画像処理装置のデバイスで処理可能な出力形態であるサービスに関するＵＩ部品の取得要求を前記画像処理装置より受信する受信手段と、
前記受信手段で受信された前記取得要求に含まれる前記セッション情報に基づき、前記クライアント端末装置のユーザが利用可能なサービスに関するサービス情報を取得するサービス情報取得手段と、
前記サービス情報取得手段で取得されたサービス情報と、前記受信手段で受信された前記取得要求に含まれる前記画像処理装置のデバイスの能力情報と、に基づき、前記サービス情報で示されるサービスに関する出力形態が、前記画像処理装置のデバイスで処理可能な出力形態であるか否かを判定する判定手段と、
前記判定手段で前記画像処理装置のデバイスで処理可能な出力形態であると判定された前記サービスに関するＵＩ部品を前記画像処理装置に返信する返信手段と、
して機能させることを特徴とするプログラム。
【請求項１１】
クライアント端末装置と、アプリケーションサーバと、画像処理装置とから成るシステムであって、
前記アプリケーションサーバが提供するサービスの内、前記クライアント端末装置を操作するユーザが利用可能なサービスに関するユーザーインターフェースのポートレットをダウンロードするダウンロード手段と、
ダウンロードされた前記ポートレットと、前記前記画像処理装置が出力する出力結果の体裁設定に関するユーザーインターフェースのポートレットとから構成される合成ユーザーインターフェースを生成する生成手段と、
前記合成ユーザーインターフェースが生成されたことに応じて、前記合成ユーザーインターフェースを前記クライアント端末装置へ送信する送信手段と、
を有し、
前記生成手段は、前記クライアント端末装置に送信された前記合成ユーザーインターフェースに含まれる２つの前記ポートレットに対しユーザが設定を行ったことに応じて、該設定を反映したプレビューポートレットを生成し、
前記送信手段は、生成されたプレビューポートレットを含んだ前記合成ユーザーインターフェースを前記クライアント端末装置へ送信することを特徴とするシステム。
【手続補正２】
【補正対象書類名】明細書
【補正対象項目名】００１５
【補正方法】削除
【補正の内容】